(57)【要約】【課題】  従来の一般的に販売されているループバンドを利用することが可能で、複数のループバンドを簡単な構造で、しかも容易に任意の長さに連結でき、コストも手間も低減でき、持ち運びにも便利なトレーニング用ベルトを提供する。【解決手段】  輪形状になったトレーニング用ベルトのベルト部材に、脱着自在に連結される少なくとも１個の第３の係止部材を備え、第３の係止部材が、輪形状になったトレーニング用ベルトのベルト部材に脱着自在に連結される係止部材本体と、係止部材本体と脱着自在に連結されるとともに、別の輪形状の伸縮自在なベルト部材を脱着自在に連結する連結部とを備える。【選択図】図２３
2020185022.tif 000002
【特許請求の範囲】
【請求項１】
伸縮自在なベルトから構成されるトレーニング用ベルトであって、
複数の輪形状の伸縮自在なベルト部材と、
前記複数のベルト部材同士を、脱着自在に連結する中間係止部材と、
前記中間係止部材で連結されたベルト部材の一方の端部に、脱着自在に連結される第１の係止部材と、
前記中間係止部材で連結されたベルト部材の他方の端部に、脱着自在に連結される第２の係止部材とを備え、
前記第１の係止部材と第２の係止部材とを係止することによって、輪形状になるように構成したトレーニング用ベルトであって、
前記輪形状になったトレーニング用ベルトのベルト部材に、脱着自在に連結される少なくとも１個の第３の係止部材を備え、
前記第３の係止部材が、
前記輪形状になったトレーニング用ベルトのベルト部材に脱着自在に連結される係止部材本体と、
前記係止部材本体と脱着自在に連結されるとともに、別の輪形状の伸縮自在なベルト部材を脱着自在に連結する連結部とを備えることを特徴とするトレーニング用ベルト。
【請求項２】
前記係止部材本体が、開閉可能な輪形状であって、前記係止部材本体の輪形状になった部分に、前記輪形状になったトレーニング用ベルトのベルト部材が、脱着自在に連結されるように構成されていることを特徴とする請求項１に記載のトレーニング用ベルト。
【請求項３】
前記第３の係止部材の連結部が、係止部材本体と脱着自在に連結されるように構成されていることを特徴とする請求項１から２のいずれかに記載のトレーニング用ベルト。
【請求項４】
前記中間係止部材が、
前記中間係止部材の中央部分に形成された係止バー本体と、
前記係止バー本体から一定間隔離間するようにそれぞれ延設され、前記係止バー本体とそれぞれ平行に配置された、第１の係止バー部材と第２の係止バー部材を備え、
前記係止バー本体と第１の係止バー部材とに囲まれた部分に、第１の係止穴が形成され、
前記係止バー本体と第２の係止バー部材とに囲まれた部分に、第２の係止穴が形成され、
前記第１の係止バー部材が、第１の係止穴を開閉可能にするように、開閉可能に構成されているとともに、
前記第２の係止バー部材が、第２の係止穴を開閉可能にするように、開閉可能に構成されていることを特徴とする請求項１から３のいずれかに記載のトレーニング用ベルト。
【請求項５】
別の輪形状の伸縮自在なベルト部材の表面に、前記別の輪形状の伸縮自在なベルト部材の伸縮に伴って伸縮する指標部が形成されていることを特徴とする請求項１から４のいずれかに記載のトレーニング用ベルト。
【請求項６】
請求項１から４のいずれかに記載のトレーニング用ベルトとともに用いるゴムまり部材であって、
前記ゴムまり部材が、ゴムまり部材本体を備え、
前記ゴムまり部材本体が、ゴムまり部材本体の空気導入口とは別に形成された、開閉可能な蓋部材を備えた開閉穴を備え、
前記ゴムまり部材が、前記ゴムまり部材本体の開閉穴に脱着自在に挿着される風船部材を備え、
前記風船部材が、
風船からなる風船部材本体と、
前記風船部材本体の空気口に装着されたノズル部材を備え、
前記ノズル部材の基端部が、前記風船部材本体の空気口に装着され、
前記ノズル部材の先端部が、前記ゴムまり部材本体の開閉穴に脱着自在に挿入され、
前記ノズル部材の先端部には、空気穴が形成されており、
前記ゴムまり部材本体に、前記トレーニング用ベルトを使用して、外部より圧力を加えることによって、ゴムまり部材本体内部の空気が、前記ノズル部材の先端部に形成された空気穴を介して、風船部材本体に移動して、風船部材本体が膨張するように構成されていることを特徴とするゴムまり部材。
【請求項７】
前記風船部材の風船部材本体の表面に、風船部材本体の伸縮に伴って伸縮する風船指標部が形成されていることを特徴とする請求項７に記載のゴムまり部材。
【請求項８】
ゴムまり部材であって、
前記ゴムまり部材が、ゴムまり部材本体を備え、
前記ゴムまり部材本体が、ゴムまり部材本体の空気導入口とは別に形成された、開閉可能な蓋部材を備えた開閉穴を備え、
前記ゴムまり部材が、前記ゴムまり部材本体の開閉穴に脱着自在に挿着される風船部材を備え、
前記風船部材が、
風船からなる風船部材本体と、
前記風船部材本体の空気口に装着されたノズル部材を備え、
前記ノズル部材の基端部が、前記風船部材本体の空気口に装着され、
前記ノズル部材の先端部が、前記ゴムまり部材本体の開閉穴に脱着自在に挿入され、
前記ノズル部材の先端部には、空気穴が形成されており、
前記ゴムまり部材本体に、外部より圧力を加えることによって、ゴムまり部材本体内部の空気が、前記ノズル部材の先端部に形成された空気穴を介して、風船部材本体に移動して、風船部材本体が膨張するように構成されていることを特徴とするゴムまり部材。
【請求項９】
前記風船部材の風船部材本体の表面に、風船部材本体の伸縮に伴って伸縮する風船指標部が形成されていることを特徴とする請求項８に記載のゴムまり部材。
【発明の詳細な説明】
【技術分野】
【０００１】
本発明は、例えば、エクササイズ、美容、腰痛改善などの健康、歩行障害などのリハビリ、運動不足の解消、手足、足腰、認知症の予防、背筋、胸筋など強化によるスポーツトレーニング、ボディービルなど、その他の分野における種々のトレーニング（以下、単に「トレーニング」と言う）に使用する、例えば、ゴムなどの伸縮自在なベルトから構成されるトレーニング用ベルト、および、ゴムまり部材に関する。
【背景技術】
【０００２】
従来より、このような種々のトレーニングを行うためトレーニング用具として、例えば、エキササイズゴムバンド、ループバンド、トレーニングチューブなどが用いられている。
【０００３】
このようなトレーニング用具として、従来より、例えば、ゴムなどから構成される伸縮性を有する伸縮部材を用いた、いわゆる「エキスパンダー」として、輪形状（ループ形状）ループバンドが用いられている。
【０００４】
このようなループバンドでは、ループバンドの長さが一定であるので、例えば、使用目的、使用部位、トレーニング方法、トレーニング強度、ループの強さ（負荷）など応じて、様々な長さのループバンドを準備しなければならず、コストが高くつくとともに、ループバンドを選択して、トレーニングを行う必要があるため、煩雑で面倒である。
【０００５】
このため、特許文献１（特開２０１７−１８２４３号公報）では、様々な長さのループバンドを準備する必要がなく、任意の長さのループバンドとして使用可能なトレーニングツールが開示されている。
【０００６】
すなわち、図２０は、特許文献１に示されているトレーニングツールの斜視図である。
【０００７】
図２０に示したように、特許文献１に示されているトレーニングツール１００は、第１の伸縮性部材１０２と、第１の伸縮性部材１０２よりも長手方向に長い第２の伸縮性部材１０４からなるループ１０６を、接合部１０８を介して、複数連接して構成されている。
【０００８】
そして、例えば、左右の手をループ１０６に挿入して持つ箇所（位置）を、種々変えることで、トレーニングツール１００の長さを変更し、トレーニング中に掛かる負荷の強さなどを調整することができるように構成されている。
【先行技術文献】
【特許文献】
【０００９】
【特許文献１】特開２０１７−１８２４３号公報
【発明の概要】
【発明が解決しようとする課題】
【００１０】
しかしながら、特許文献１に記載のトレーニングツール１００では、第１の伸縮性部材１０２と、第１の伸縮性部材１０２よりも長手方向に長い第２の伸縮性部材１０４からなる複数のループ１０６を、予め接合部１０８を介して製造しなければならず、複雑な構成でコストが高くつくことになる。
【００１１】
また、従来の一般的に販売されているループバンドを利用することは不可能であって、とトレーニングする者にとって、経済的にも、また、持ち運びなど、負担を強いることにもなる。
【００１２】
さらに、特許文献１に記載のトレーニングツール１００では、例えば、例えば、左右の手をループ１０６に挿入して持つ箇所（位置）によっては、両端部分に余った部分が生じて、トレーニングの邪魔になったり、周辺や体の他の部位に絡まったりして、問題が生じるおそれもある。
【００１３】
また、従来のループバンドを、例えば、足の運動、膝の運動などのトレーニングに使用する際には、椅子に座ったり、屈んだ状態で、ループ内に両足を入れて使用しなければならず、不便であるとともに、ある程度広い場所が必要である。
【００１４】
このため、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングには不向きであった。
【００１５】
本発明は、このような現状に鑑み、従来の一般的に販売されているループバンドを利用することが可能で、複数のループバンドを簡単な構造で、しかも容易に任意の長さに連結でき、コストも手間も低減でき、持ち運びにも便利なトレーニング用ベルトを提供することを目的とする。
【００１６】
また、本発明は、例えば、使用目的、使用部位、トレーニング方法、トレーニング強度、ループの強さ（負荷）など応じて、様々な長さのループバンドとして、簡単に使用可能なトレーニング用ベルトを提供することを目的とする。
【００１７】
また、本発明は、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することを目的とする。
【００１８】
また、本発明は、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト、および、ゴムまり部材を提供することを目的とする。
【課題を解決するための手段】
【００１９】
本発明は、前述したような従来技術における課題及び目的を達成するために発明されたものであって、本発明のトレーニング用ベルトは、
伸縮自在なベルトから構成されるトレーニング用ベルトであって、
複数の輪形状の伸縮自在なベルト部材と、
前記複数のベルト部材同士を、脱着自在に連結する中間係止部材と、
前記中間係止部材で連結されたベルト部材の一方の端部に、脱着自在に連結される第１の係止部材と、
前記中間係止部材で連結されたベルト部材の他方の端部に、脱着自在に連結される第２の係止部材とを備え、
前記第１の係止部材と第２の係止部材とを係止することによって、輪形状になるように構成したトレーニング用ベルトであって、
前記輪形状になったトレーニング用ベルトのベルト部材に、脱着自在に連結される少なくとも１個の第３の係止部材を備え、
前記第３の係止部材が、
前記輪形状になったトレーニング用ベルトのベルト部材に脱着自在に連結される係止部材本体と、
前記係止部材本体と脱着自在に連結されるとともに、別の輪形状の伸縮自在なベルト部材を脱着自在に連結する連結部とを備えることを特徴とする。
【００２０】
このように構成することにって、輪形状になったトレーニング用ベルトのベルト部材に、脱着自在に連結される少なくとも１個の第３の係止部材を備えている。
また、係止部材本体によって、輪形状になったトレーニング用ベルトのベルト部材に脱着自在に連結可能になっている。
【００２１】
さらに、係止部材本体と脱着自在に連結された連結部によって、別の輪形状の伸縮自在なベルト部材を脱着自在に連結することができる。
【００２２】
従って、例えば、後述する図２６に示したように、さらに、両足に、別の輪形状の伸縮自在なベルト部材を使用すれば、腕、足腰など総合的な運動、エクササイズを行うことができ極めて便利である。
【００２３】
また、本発明のトレーニング用ベルトは、前記係止部材本体が、開閉可能な輪形状であって、前記係止部材本体の輪形状になった部分に、前記輪形状になったトレーニング用ベルトのベルト部材が、脱着自在に連結されるように構成されていることを特徴とする。
【００２４】
このように構成することにって、係止部材本体が、開閉可能な輪形状であるので、係止部材本体の輪形状になった部分に、輪形状になったトレーニング用ベルトのベルト部材が、脱着自在に連結される。
【００２５】
従って、輪形状になったトレーニング用ベルトのベルト部材に、別の輪形状の伸縮自在なベルト部材を脱着自在に連結、取り外しが容易になり、極めて便利である。
【００２６】
また、本発明のトレーニング用ベルトは、前記第３の係止部材の連結部が、係止部材本体と脱着自在に連結されるように構成されていることを特徴とする。
【００２７】
このように構成することにって、係止部材本体と連結された輪形状になったトレーニング用ベルトのベルト部材に対して、別の輪形状の伸縮自在なベルト部材を、第３の係止部材の連結部を介して、係止部材本体と脱着自在に連結できる。
【００２８】
従って、輪形状になったトレーニング用ベルトのベルト部材に、別の輪形状の伸縮自在なベルト部材を脱着自在に連結、取り外しが容易になり、極めて便利である。
【００２９】
また、本発明のトレーニング用ベルトは、
前記中間係止部材が、
前記中間係止部材の中央部分に形成された係止バー本体と、
前記係止バー本体から一定間隔離間するようにそれぞれ延設され、前記係止バー本体とそれぞれ平行に配置された、第１の係止バー部材と第２の係止バー部材を備え、
前記係止バー本体と第１の係止バー部材とに囲まれた部分に、第１の係止穴が形成され、
前記係止バー本体と第２の係止バー部材とに囲まれた部分に、第２の係止穴が形成され、
前記第１の係止バー部材が、第１の係止穴を開閉可能にするように、開閉可能に構成されているとともに、
前記第２の係止バー部材が、第２の係止穴を開閉可能にするように、開閉可能に構成されていることを特徴とする。
【００３０】
このように構成することにって、第１の係止バー部材が、第１の係止穴を開閉可能にするように、開閉可能に構成されているとともに、第２の係止バー部材が、第２の係止穴を開閉可能にするように、開閉可能に構成されている。
【００３１】
従って、開閉可能な第１の係止バー部材と第２の係止バー部材によって、第１の係止穴、第２の係止穴が開閉されるので、、ベルト部材同士の連結、取り外しが容易になり、極めて便利である。
【００３２】
また、本発明のトレーニング用ベルトは、別の輪形状の伸縮自在なベルト部材の表面に、前記別の輪形状の伸縮自在なベルト部材の伸縮に伴って伸縮する指標部が形成されていることを特徴とする。
【００３３】
このように構成することにって、後述するように、例えば、図２３に示したように、別の輪形状の伸縮自在なベルト部材１２ｅの表面に、このベルト部材１２ｅの伸縮に伴って伸縮する指標部２９、例えば、「がんばれ」などの文字、人、動物などの顔、キャラクターを形成することができる。
【００３４】
これにより、ベルト部材１２ｅの伸縮に伴って、指標部２９が膨張したり縮んだりするので、腕、足腰など総合的な運動、エクササイズを行う使用者の励みになる効果がある。
【００３５】
また、本発明のゴムまり部材は、
前述のいずれかに記載のトレーニング用ベルトとともに用いるゴムまり部材であって、
前記ゴムまり部材が、ゴムまり部材本体を備え、
前記ゴムまり部材本体が、ゴムまり部材本体の空気導入口とは別に形成された、開閉可能な蓋部材を備えた開閉穴を備え、
前記ゴムまり部材が、前記ゴムまり部材本体の開閉穴に脱着自在に挿着される風船部材を備え、
前記風船部材が、
風船からなる風船部材本体と、
前記風船部材本体の空気口に装着されたノズル部材を備え、
前記ノズル部材の基端部が、前記風船部材本体の空気口に装着され、
前記ノズル部材の先端部が、前記ゴムまり部材本体の開閉穴に脱着自在に挿入され、
前記ノズル部材の先端部には、空気穴が形成されており、
前記ゴムまり部材本体に、前記トレーニング用ベルトを使用して、外部より圧力を加えることによって、ゴムまり部材本体内部の空気が、前記ノズル部材の先端部に形成された空気穴を介して、風船部材本体に移動して、風船部材本体が膨張するように構成されていることを特徴とする。
【００３６】
また、本発明のゴムまり部材は、
ゴムまり部材であって、
前記ゴムまり部材が、ゴムまり部材本体を備え、
前記ゴムまり部材本体が、ゴムまり部材本体の空気導入口とは別に形成された、開閉可能な蓋部材を備えた開閉穴を備え、
前記ゴムまり部材が、前記ゴムまり部材本体の開閉穴に脱着自在に挿着される風船部材を備え、
前記風船部材が、
風船からなる風船部材本体と、
前記風船部材本体の空気口に装着されたノズル部材を備え、
前記ノズル部材の基端部が、前記風船部材本体の空気口に装着され、
前記ノズル部材の先端部が、前記ゴムまり部材本体の開閉穴に脱着自在に挿入され、
前記ノズル部材の先端部には、空気穴が形成されており、
前記ゴムまり部材本体に、外部より圧力を加えることによって、ゴムまり部材本体内部の空気が、前記ノズル部材の先端部に形成された空気穴を介して、風船部材本体に移動して、風船部材本体が膨張するように構成されていることを特徴とするゴムまり部材。
【００３７】
このように構成することにって、ゴムまり部材を用いて、ゴムまり部材本体に、外部より圧力を加えることによって、ゴムまり部材本体の内部の空気が、ノズル部材先端部に形成された空気穴を介して、風船部材本体に移動して、風船部材本体が膨張する。
【００３８】
一方、ゴムまり部材本体への外部より圧力を弱めることによって、ゴムまり部材本体の弾性によって、ゴムまり部材本体が膨張する方向に移動する。
【００３９】
これにより、逆に、風船部材本体内の空気が、ノズル部材の先端部に形成された空気穴を介して、ゴムまり部材本体内に移動して、ゴムまり部材本体が膨張するとともに、風船部材本体が萎むように構成されている。
【００４０】
このように構成することにって、例えば、脚の運動、握力の強化などの様々な運動、エクササイズにおいて、風船部材本体が膨らんだり、萎んだりするので、運動の目安となって極めて便利である。
【００４１】
また、例えば、両股の間に、ゴムまり部材のゴムまり部材本体を挟んで、両股を閉じる運動をする際の、この運動の押圧力で、ゴムまり部材本体に、外部より圧力を加えることによって、ゴムまり部材本体内部の空気が、ノズル部材の先端部に形成された空気穴を介して、風船部材本体に移動して、風船部材本体が膨張する。
【００４２】
そして、運動を停止して、例えば、今度は、両股を開く運動や、休憩している間に、風船部材本体の圧力によって、ノズル部材の先端部に形成された空気穴を介して、ゴムまり部材本体内部に空気が移動して、ゴムまり部材本体が再び膨張する。
このような繰り返しで、ゴムまり部材による連続した運動が可能となる。
【００４３】
また、本発明のゴムまり部材は、風船部材の風船部材本体の表面に、風船部材本体の伸縮に伴って伸縮する風船指標部が形成されていることを特徴とする。
【００４４】
このように構成することにって、例えば、後述する図２９に示したように、風船部材本体８６の表面に、この風船部材本体８６の伸縮に伴って伸縮する指標部８１、例えば、「がんばれ」などの文字、人、動物などの顔、キャラクターを形成することができる。
【００４５】
これにより、風船部材本体８６の伸縮に伴って、指標部８１が膨張したり縮んだりするので、腕、足腰など総合的な運動、エクササイズを行う使用者の励みになる効果がある。
腕、足腰など総合的な運動、エクササイズを行う使用者の励みになる効果がある。
【００４６】
また、本発明は、前述したような従来技術における課題及び目的を達成するために発明されたものであって、本発明のトレーニング用ベルトは、
伸縮自在なベルトから構成されるトレーニング用ベルトであって、
複数の輪形状の伸縮自在なベルト部材と、
前記複数のベルト部材同士を、脱着自在に連結する中間係止部材と、
前記中間係止部材で連結されたベルト部材の一方の端部に、脱着自在に連結される第１の係止部材と、
前記中間係止部材で連結されたベルト部材の他方の端部に、脱着自在に連結される第２の係止部材とを備え、
前記第１の係止部材と第２の係止部材とを係止することによって、輪形状になるように構成したことを特徴とする。
【００４７】
このように構成することによって、複数の輪形状の伸縮自在なベルト部材同士を、中間係止部材を介して、脱着自在に連結するようになっている。
【００４８】
そして、中間係止部材で連結されたベルト部材の一方の端部に、第１の係止部材が脱着自在に連結される。
【００４９】
また、中間係止部材で連結されたベルト部材の他方の端部に、第２の係止部材が、脱着自在に連結される。
【００５０】
この状態で、第１の係止部材と第２の係止部材とを係止することによって、輪形状になるように構成されている。
【００５１】
従って、従来の一般的に販売されているループバンドを、ベルト部材として利用することが可能で、複数のループバンド（ベルト部材）を簡単な構造で、しかも容易に任意の長さに脱着自在に連結でき、コストも手間も低減でき、持ち運びにも便利なトレーニング用ベルトを提供することができる。
【００５２】
また、例えば、使用目的、使用部位、トレーニング方法、トレーニング強度、ループの強さ（負荷）など応じて、様々な長さのループバンドとして、簡単に使用可能なトレーニング用ベルトを提供することができる。
【００５３】
さらに、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【００５４】
また、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【００５５】
また、本発明のトレーニング用ベルトは、
前記中間係止部材が、
前記中間係止部材の中央部分に形成された係止バー本体と、
前記係止バー本体から一定間隔離間するようにそれぞれ延設され、前記係止バー本体とそれぞれ平行に配置された、第１の係止バー部材と第２の係止バー部材を備え、
前記係止バー本体と第１の係止バー部材とに囲まれた部分に、第１の係止穴が形成され、
前記第１の係止穴には、前記複数のベルト部材の一方の端部のベルト部材を脱着自在に挿入係合するための第１のスリットが形成され、
前記係止バー本体と第２の係止バー部材とに囲まれた部分に、第２の係止穴が形成され、
前記第２の係止穴には、前記複数のベルト部材の他方の端部のベルト部材を脱着自在に挿入係合するための第２のスリットが形成されていることを特徴とする。
【００５６】
このように構成することによって、係止バー本体と第１の係止バー部材とに囲まれた部分に形成された第１の係止穴に、第１のスリットを介して、複数のベルト部材の一方の端部のベルト部材を脱着自在に挿入係合することができる。
【００５７】
そして、係止バー本体と第２の係止バー部材とに囲まれた部分に形成された第２の係止穴に、第２のスリットを介して、複数のベルト部材の他方の端部のベルト部材を脱着自在に挿入係合することができる。
【００５８】
このようにして、複数のベルト部材同士を、簡単容易に、脱着自在に連結することができる。
【００５９】
従って、従来の一般的に販売されているループバンドを、ベルト部材として利用することが可能で、複数のループバンド（ベルト部材）を簡単な構造で、しかも容易に任意の長さに脱着自在に連結でき、コストも手間も低減でき、持ち運びにも便利なトレーニング用ベルトを提供することができる。
【００６０】
また、本発明のトレーニング用ベルトは、前記第１の係止バー部材の長さと、前記第２の係止バー部材の長さが相違するように形成されていることを特徴とする。
【００６１】
このように構成することによって、幅の寸法の異なる複数のベルト部材を、偏らないように連結することができ、便利である。
【００６２】
また、本発明のトレーニング用ベルトは、
前記第１の係止部材が、バックル型のバックル型係止部材から構成され、
前記バックル型係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、ベルト形状のベルト型係止部材から構成され、
前記ベルト型係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記バックル型係止部材とベルト型係止部材とを係止することによって、輪形状になるように構成したことを特徴とする。
【００６３】
このように構成することによって、バックル型係止部材のベルト部材側に備えられた、第１の挿入係合部材のスリットを介して、第１の挿入係合部材の第１のベルト係合穴に、ベルト部材を脱着自在に挿入係止することができる。
【００６４】
また、ベルト形状のベルト型係止部材のベルト部材側に備えられた、第２の挿入係合部材のスリットを介して、ベルト部材を第２の挿入係合部材の第２のベルト係合穴に、ベルト部材を脱着自在に挿入係止することができる。
【００６５】
この状態で、バックル型係止部材とベルト型係止部材とを係止することによって、輪形状になるように構成されている。
【００６６】
従って、バックル型係止部材とベルト型係止部材との係止位置を調整することによって、例えば、使用目的、使用部位、トレーニング方法、トレーニング強度、ループの強さ（負荷）など応じて、様々な長さのループバンドとして、簡単に使用可能なトレーニング用ベルトを提供することができる。
【００６７】
さらに、バックル型係止部材とベルト型係止部材との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【００６８】
また、バックル型係止部材とベルト型係止部材との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【００６９】
また、本発明のトレーニング用ベルトは、前記第１の係止部材の前記バックル型係止部材の表面には、裏表を確認できる確認部が形成されていることを特徴とする。
【００７０】
このように構成することによって、例えば、シールを貼着したり、点字、凹凸などのマーク、色分けなどの表示から構成される確認部を、第１の係止部材のバックル型係止部材の表面に形成することによって、裏表を確認でき、裏表を間違って装着するのを防止することができる。
【００７１】
また、本発明のトレーニング用ベルトは、前記第２の係止部材のベルト型係止部材には、凹凸が形成されていることを特徴とする。
【００７２】
このように構成することによって、第２の係止部材のベルト型係止部材に形成された凹凸によって、例えば、ベルト型係止部材の余った部分を切断する位置が把握できるとともに、この凹凸によって、バックル型係止部材の表面に形成することによって、裏表を確認でき、間違って装着するのを防止することができる。
【００７３】
また、本発明のトレーニング用ベルトは、
前記第１の係止部材が、スナップフィット型の雌形状係止部材から構成され、
前記雌形状係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、前記雌形状係止部材に対応するスナップフィット型の雄形状係止部材から構成され、
前記雄形状係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記雌形状係止部材と雄形状係止部材とを係止することによって、輪形状になるように構成したことを特徴とする。
【００７４】
このように構成することによって、スナップフィット型の雌形状係止部材のベルト部材側に備えられた、第１の挿入係合部材のスリットを介して、第１の挿入係合部材の第１のベルト係合穴に、ベルト部材を脱着自在に挿入係止することができる。
【００７５】
また、スナップフィット型の雄形状係止部材のベルト部材側に備えられた、第２の挿入係合部材のスリットを介して、ベルト部材を第２の挿入係合部材の第２のベルト係合穴に、ベルト部材を脱着自在に挿入係止することができる。
【００７６】
この状態で、スナップフィット型の雌形状係止部材と雄形状係止部材とを係止することによって、輪形状になるように構成されている。
【００７７】
従って、スナップフィット型の雌形状係止部材と雄形状係止部材との係止位置を調整することによって、例えば、使用目的、使用部位、トレーニング方法、トレーニング強度、ループの強さ（負荷）など応じて、様々な長さのループバンドとして、簡単に使用可能なトレーニング用ベルトを提供することができる。
【００７８】
さらに、スナップフィット型の雌形状係止部材と雄形状係止部材との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【００７９】
また、スナップフィット型の雌形状係止部材と雄形状係止部材との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【００８０】
また、本発明のトレーニング用ベルトは、
前記第１の係止部材が、開閉可能なリング型の第１のリング型係止部材から構成され、
前記第１のリング型係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、開閉可能なリング型の第２のリング型係止部材から構成され、
前記第２のリング型係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記第１のリング型係止部材と第２のリング型係止部材とを係止することによって、輪形状になるように構成したことを特徴とする。
【００８１】
このように構成することによって、開閉可能なリング型の第１のリング型係止部材のベルト部材側に備えられた、第１の挿入係合部材のスリットを介して、第１の挿入係合部材の第１のベルト係合穴に、ベルト部材を脱着自在に挿入係止することができる。
【００８２】
また、開閉可能なリング型の第２のリング型係止部材のベルト部材側に備えられた、第２の挿入係合部材のスリットを介して、ベルト部材を第２の挿入係合部材の第２のベルト係合穴に、ベルト部材を脱着自在に挿入係止することができる。
【００８３】
この状態で、開閉可能なリング型の第１のリング型係止部材と第２のリング型係止部材とを係止することによって、輪形状になるように構成されている。
【００８４】
従って、開閉可能なリング型の第１のリング型係止部材と第２のリング型係止部材との係止位置を調整することによって、例えば、使用目的、使用部位、トレーニング方法、トレーニング強度、ループの強さ（負荷）など応じて、様々な長さのループバンドとして、簡単に使用可能なトレーニング用ベルトを提供することができる。
【００８５】
さらに、開閉可能なリング型の第１のリング型係止部材と第２のリング型係止部材との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【００８６】
また、開閉可能なリング型の第１のリング型係止部材と第２のリング型係止部材との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【００８７】
また、本発明のトレーニング用ベルトは、前記第１の係止部材の第１の挿入係合部材が、前記中間係止部材から構成されていることを特徴とする。
【００８８】
このように、第１の係止部材の第１の挿入係合部材が、中間係止部材から構成されていても良い。
【００８９】
これにより、中間係止部材を、第１の係止部材の第１の挿入係合部材としても使用できるので、部品点数が少なくなりコストと手間も低減できる。
【００９０】
また、本発明のトレーニング用ベルトは、前記第２の係止部材の第２の挿入係合部材が、前記中間係止部材から構成されていることを特徴とする。
【００９１】
このように、第２の係止部材の第２の挿入係合部材が、中間係止部材から構成されていても良い。
【００９２】
これにより、中間係止部材を、第２の係止部材の第２の挿入係合部材としても使用できるので、部品点数が少なくなりコストと手間も低減できる。
【発明の効果】
【００９３】
本発明によれば、輪形状になったトレーニング用ベルトのベルト部材に、脱着自在に連結される少なくとも１個の第３の係止部材を備えている。
また、係止部材本体によって、輪形状になったトレーニング用ベルトのベルト部材に脱着自在に連結可能になっている。
【００９４】
さらに、係止部材本体と脱着自在に連結された連結部によって、別の輪形状の伸縮自在なベルト部材を脱着自在に連結することができる。
【００９５】
従って、例えば、後述する図２６に示したように、さらに、両足に、別の輪形状の伸縮自在なベルト部材を使用すれば、腕、足腰など総合的な運動、エクササイズを行うことができ極めて便利である。
【００９６】
また、例えば、両股の間に、ゴムまり部材のゴムまり部材本体を挟んで、両股を閉じる運動をする際の、この運動の押圧力で、ゴムまり部材本体に、外部より圧力を加えることによって、ゴムまり部材本体内部の空気が、ノズル部材の先端部に形成された空気穴を介して、風船部材本体に移動して、風船部材本体が膨張する。
【００９７】
そして、運動を停止して、例えば、今度は、両股を開く運動や、休憩している間に、風船部材本体の圧力によって、ノズル部材の先端部に形成された空気穴を介して、ゴムまり部材本体内部に空気が移動して、ゴムまり部材本体が再び膨張する。
このような繰り返しで、ゴムまり部材による連続した運動が可能となる。
【００９８】
また、本発明によれば、複数の輪形状の伸縮自在なベルト部材同士を、中間係止部材を介して、脱着自在に連結するようになっている。
【００９９】
そして、中間係止部材で連結されたベルト部材の一方の端部に、第１の係止部材が脱着自在に連結される。
【０１００】
また、中間係止部材で連結されたベルト部材の他方の端部に、第２の係止部材が、脱着自在に連結される。
【０１０１】
この状態で、第１の係止部材と第２の係止部材とを係止することによって、輪形状になるように構成されている。
【０１０２】
従って、従来の一般的に販売されているループバンドを、ベルト部材として利用することが可能で、複数のループバンド（ベルト部材）を簡単な構造で、しかも容易に任意の長さに脱着自在に連結でき、コストも手間も低減でき、持ち運びにも便利なトレーニング用ベルトを提供することができる。
【０１０３】
また、例えば、使用目的、使用部位、トレーニング方法、トレーニング強度、ループの強さ（負荷）など応じて、様々な長さのループバンドとして、簡単に使用可能なトレーニング用ベルトを提供することができる。
【０１０４】
さらに、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【０１０５】
また、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【図面の簡単な説明】
【０１０６】
【図１】図１は、本発明のトレーニング用ベルト１０の概略を模式的に示す分解斜視図である。
【図２】図２は、図１のトレーニング用ベルト１０の分解上面図である。
【図３】図３は、図１のトレーニング用ベルト１０の第１の係止部材２０であるバックル型係止部材２２を示す部分拡大断面図である。
【図４】図４は、図１のトレーニング用ベルト１０を組み立てて、トレーニングのために、ゴムまりＣを両足Ｄの間に挟んだ状態を説明する断面図である。
【図５】図５は、図１のトレーニング用ベルト１０の中間係止部材１４の別の実施例を示す上面図である。
【図６】図６は、本発明のトレーニング用ベルト１０のベルト型係止部材４０の別の実施例を示す斜視図である。
【図７】図７は、本発明のトレーニング用ベルト１０のトレーニングの概略を模式的に示す概略図である。
【図８】図８は、本発明のトレーニング用ベルト１０のトレーニングの概略を模式的に示す概略図である。
【図９】図９は、本発明のトレーニング用ベルト１０のトレーニングの概略を模式的に示す概略図である。
【図１０】図１０は、本発明のトレーニング用ベルト１０のトレーニングの概略を模式的に示す概略図である。
【図１１】図１１は、本発明のトレーニング用ベルト１０のトレーニングの概略を模式的に示す概略図である。
【図１２】図１２は、本発明のトレーニング用ベルト１０のトレーニングの概略を模式的に示す概略図である。
【図１３】図１３は、本発明のトレーニング用ベルト１０のトレーニングの概略を模式的に示す概略図である。
【図１４】図１４は、図１のトレーニング用ベルト１０の第１の係止部材２０であるバックル型係止部材２２の別の実施例を示す部分拡大断面図である。
【図１５】図１５は、本発明のトレーニング用ベルト１０の別の実施例の部分分解上面図である。
【図１６】図１６は、本発明のトレーニング用ベルト１０の別の実施例の雄形状係止部材５６の上面図である。
【図１７】図１７は、本発明のトレーニング用ベルト１０の別の実施例の部分分解上面図である。
【図１８】図１８は、図１８は、本発明のトレーニング用ベルト１０の別の実施例の部分分解上面図である。
【図１９】図１９は、本発明のトレーニング用ベルト１０の別の実施例の部分分解上面図である。
【図２０】図２０は、特許文献１に示されているトレーニングツールの斜視図である。
【図２１】図２１は、本発明のトレーニング用ベルト１０の別の実施例の部分分解図である。
【図２２】図２２は、図２１のトレーニング用ベルト１０の組み立てた状態の断面図である。
【図２３】図２３は、本発明のトレーニング用ベルト１０の別の実施例の図４と同様な図１のトレーニング用ベルト１０を組み立てて、トレーニングのために、ゴムまりＣを両足Ｄの間に挟んだ状態を説明する断面図である。
【図２４】図２４は、第３の係止部材１３の分解斜視図である。
【図２５】図２５（Ａ）は、第３の係止部材１３の係止部材本体１５の正面図、図２５（Ｂ）は、第３の係止部材１３の係止部材本体１５の平面図、図２５（Ｃ）は、第３の係止部材１３の係止部材本体１５の断面図である。
【図２６】図２６は、本発明のトレーニング用ベルト１０のトレーニングの概略を模式的に示す概略図である。
【図２７】図２７は、本発明のトレーニング用ベルト１０の組み立てた状態の断面図である。
【図２８】図２８は、図２７の中間係止部材１４の実施例を示す概略図である。
【図２９】図２９は、本発明のゴムまり部材８０の斜視図である。
【図３０】図３０は、本発明のゴムまり部材８０を用いて、本発明のトレーニング用ベルト１０の別の実施例の図４と同様な図１のトレーニング用ベルト１０を組み立てて、トレーニングのために、ゴムまり部材８０を両足Ｄの間に挟んだ状態を説明する断面図である。
【図３１】図３１（Ａ）は、本発明のゴムまり部材８０の別の実施例の斜視図、図３１（Ｂ）は、ノズル部材８８の基端部８８ａの上面図である。。
【図３２】図３２は、本発明のゴムまり部材８０の別の実施例の斜視図である。
【図３３】図３３は、本発明のゴムまり部材８０の別の実施例の斜視図である。
【図３４】図３４は、本発明のゴムまり部材８０の別の実施例の斜視図である。
【発明を実施するための形態】
【０１０７】
以下、本発明の実施の形態（実施例）を図面に基づいてより詳細に説明する。
（実施例１）
【０１０８】
図１は、本発明のトレーニング用ベルト１０の概略を模式的に示す分解斜視図、図２は、図１のトレーニング用ベルト１０の分解上面図、図３は、図１のトレーニング用ベルト１０の第１の係止部材２０であるバックル型係止部材２２を示す部分拡大断面図、図４は、図１のトレーニング用ベルト１０を組み立てて、トレーニングのために、ゴムまりＣを両足Ｄの間に挟んだ状態を説明する断面図、図５は、図１のトレーニング用ベルト１０の中間係止部材１４の別の実施例を示す上面図、図６は、本発明のトレーニング用ベルト１０のベルト型係止部材４０の別の実施例を示す斜視図、図７〜図１３は、本発明のトレーニング用ベルト１０のトレーニングの概略を模式的に示す概略図、図１４は、図１のトレーニング用ベルト１０の第１の係止部材２０であるバックル型係止部材２２の別の実施例を示す部分拡大断面図である。
【０１０９】
図１〜図４において、符号１０は、全体で本発明のトレーニング用ベルト１０を示している。
【０１１０】
本発明のトレーニング用ベルト１０は、例えば、ゴムなどの伸縮自在なベルトから構成されるトレーニング用ベルトである。
【０１１１】
具体的には、本発明のトレーニング用ベルト１０は、例えば、エクササイズ、美容、腰痛改善などの健康、歩行障害などのリハビリ、運動不足の解消、手足、足腰、認知症の予防、背筋、胸筋など強化によるスポーツトレーニング、ボディービルなど、その他の分野における種々のトレーニングに使用する、例えば、ゴムなどの伸縮自在なベルトから構成されるトレーニング用ベルト１０である。
【０１１２】
図１〜図４に示したように、複数の（この実施例では、２つの）、例えば、ゴムなどの伸縮自在な輪形状のベルト部材１２（この実施例では、第１のベルト部材１２ａ、第２のベルト部材１２ｂ）を備えている。
【０１１３】
なお、この伸縮自在なベルト部材１２の、長さ（周長）、数などは、例えば、トーレニングする部位、トレーニング方法、被トレーニング者の体格などに応じて、適宜変更することが可能である。また、ベルト部材１２を、例えば、二重、三重にするなどその強さを変更することはもちろん可能である。
さらに、複数種類の負荷の相違するベルト部材１２を複数種類重ねて、運動の負荷を自由に調整することも可能である。
【０１１４】
また、これらのベルト部材１２（第１のベルト部材１２ａ、第２のベルト部材１２ｂ）同士を、脱着自在に連結する中間係止部材１４を備えている。
【０１１５】
図１〜図３に示したように、中間係止部材１４は、中間係止部材１４の中央部分に形成された係止バー本体１４ａを備えている。そして、係止バー本体１４ａの両端から、延設部１４ｂを介して、一定間隔離間するようにそれぞれ延設された、第１の係止バー部材１４ｃと第２の係止バー部材１４ｄを備えている。
【０１１６】
また、係止バー本体１４ａと第１の係止バー部材１４ｃとに囲まれた部分に、第１の係止穴１６ａが形成されている。そして、第１の係止穴１６ａには、複数のベルト部材１２の一方の端部の第１のベルト部材１２ａを脱着自在に挿入係合するための第１のスリット１８ａが形成されている。
【０１１７】
一方、係止バー本体１４ａと第２の係止バー部材１４ｄとに囲まれた部分に、第２の係止穴１６ｂが形成されている。そして、第２の係止穴１６ｂには、複数のベルト部材１２の他方の端部の第２のベルト部材１２ｂを脱着自在に挿入係合するための第２のスリット１８ｂが形成されている。
【０１１８】
このように構成することによって、図１の矢印で示したように、係止バー本体１４ａと第１の係止バー部材１４ｃとに囲まれた部分に形成された第１の係止穴１６ａに、第１のスリット１８ａを介して、複数のベルト部材１２の一方の端部のベルト部材１２ａを脱着自在に挿入係合することができる。
【０１１９】
そして、図１の矢印で示したように、係止バー本体１４ａと第２の係止バー部材１４ｄとに囲まれた部分に形成された第２の係止穴１６ｂに、第２のスリット１８ｂを介して、複数のベルト部材１２の他方の端部のベルト部材１２ｂを脱着自在に挿入係合することができる。
【０１２０】
このようにして、複数のベルト部材１２同士（この実施例では、第１のベルト部材１２ａ、第２のベルト部材１２ｂ）を、簡単容易に、脱着自在に連結することができる。
【０１２１】
従って、従来の一般的に販売されているループバンドを、ベルト部材１２として利用することが可能で、複数のループバンド（ベルト部材１２）を簡単な構造で、しかも容易に任意の長さに脱着自在に連結でき、コストも手間も低減でき、持ち運びにも便利なトレーニング用ベルト１０を提供することができる。
【０１２２】
なお、この実施例では、図１〜図３に示したように、中間係止部材１４の第１の係止バー部材１４ｃの長さと、第２の係止バー部材１４ｄの長さが、同一の長さになるように構成している。
【０１２３】
しかしながら、図５（Ａ）に示したように、第１の係止バー部材１４ｃの長さと、第２の係止バー部材１４ｄの長さが相違するように構成することも可能である。
【０１２４】
このように構成することによって、幅の寸法の異なる複数のベルト部材１２を、偏らないように連結することができ、便利である。
【０１２５】
また、この実施例では、図１〜図３に示したように、中間係止部材１４の第１の係止バー部材１４ｃに形成された第１のスリット１８ａと、第２の係止バー部材１４ｄに形成された第２のスリット１８ｂの形成位置を、中央の位置に形成した。
【０１２６】
しかしながら、例えば、図５（Ｂ）に示したように、第１のスリット１８ａと、第２のスリット１８ｂの形成位置を、偏らせた位置に形成するなど、適宜変更することができる。
【０１２７】
また、図５（Ｃ）に示したように、中間係止部材１４の裏面に、被服、布製の座部、背もたれを備えた椅子などに脱着自在な、係止面、例えば、マジックテープ（登録商標）(Magic Tape)、ベルクロ（登録商標）(Velcro)などの面ファスナー１１を貼着することも可能である。
【０１２８】
これにより、本発明のトレーニング用ベルト１０を、例えば、被服、椅子などに脱着自在に位置固定ができ、トレーニングの際に便利である。
【０１２９】
さらに、中間係止部材１４で連結されたベルト部材１２の一方の端部（第１のベルト部材１２ａの一方の端部１２ｃ）に、脱着自在に連結される第１の係止部材２０を備えている。
【０１３０】
図１〜図４に示したように、この実施例では、第１の係止部材２０が、バックル型のバックル型係止部材２２から構成されている。
【０１３１】
このバックル型係止部材２２は、服飾のベルトに用いられている従来公知のバックル型係止部材を用いることができるものであって、特に限定されるものではない。
【０１３２】
この実施例では、例えば、図３のバックル型係止部材２２の部分拡大断面図で示したような構造のものを使用している。
【０１３３】
具体的には、バックル型係止部材２２は、バックル本体２４と、このバックル本体２４の一端に形成されたヒンジ２６を介して、図３の矢印Ａ方向に、バックル本体２４に対して開閉可能なバックル開閉部材２８を備えている従来のバックル構造である。
【０１３４】
また、図３に示したように、バックル型係止部材２２には、バックル本体２４の上面に、一定間隔離間して上方に突出するように形成された複数の（この実施例の場合には、２つの）幅方向に延びる第１の突設係止部３０ａ、３０ｂが形成されている。
【０１３５】
そして、バックル開閉部材２８の下面には、これらの第１の突設係止部３０ａ、３０ｂに対応して、複数の（この実施例の場合には、２つの）幅方向に延び、これらの第１の突設係止部３０ａ、３０ｂとは、位置がずれるように下方に突出形成された第２の突設係止部３２ａ、３２ｂが形成されている。
【０１３６】
これにより、図３の矢印Ａ方向に、バックル本体２４に対して、バックル開閉部材２８を閉じた際に、図３の矢印Ｂ方向に、バックル型係止部材２２内に、後述する第２の係止部材３８を構成するベルト形状のベルト型係止部材４０を挿着した際に、ベルト型係止部材４０が、これらの第１の突設係止部３０ａ、３０ｂ、第２の突設係止部３２ａ、３２ｂとの間に挟持され、しっかりとトレーニング用ベルト１０の長さ位置を調節保持することができるように構成されている。
【０１３７】
バックル型係止部材２２のベルト部材１２側（第１のベルト部材１２ａの一方の端部１２ｃ側）には、ベルト部材１２ａを脱着自在に挿入係止する第１の挿入係合部材３４が備えられている。
【０１３８】
そして、第１の挿入係合部材３４には、ベルト部材１２ａを脱着自在に挿入係止するためのスリット３４ａを備えた第１のベルト係合穴３６が形成されている。
【０１３９】
このように構成することによって、バックル型係止部材２２のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０１４０】
なお、この場合、バックル型係止部材２２の第１の挿入係合部材３４としては、図示しないが、例えば、前述した中間係止部材１４を用いることが可能である。これにより、部品点数を低減できるので、コストを低減でき、かつ、汎用性に優れる。
【０１４１】
また、第１の挿入係合部材３４は、図１に示したように、例えば、一体成型によって、バックル型係止部材２２のベルト部材１２側に一体的に設けることができる。しかしながら、第１の挿入係合部材３４は、バックル型係止部材２２のベルト部材１２側に、図示しないが、脱着自在な構成とすることももちろん可能である。
【０１４２】
さらに、図１〜図２に示したように、第１の係止部材２０のバックル型係止部材２２の表面には、裏表を確認できる確認部２２ａが形成されているのが望ましい。この実施例では、確認部２２ａとして、傘のマークが設けられている。
【０１４３】
このように構成することによって、図示しないが、例えば、シールを貼着したり、点字、凹凸などのマーク、色分けなどの表示から構成される確認部２２ａを、第１の係止部材２０のバックル型係止部材２２の表面に形成することによって、裏表を確認でき、裏表を間違って装着するのを防止することができる。
【０１４４】
なお、このように第１の突設係止部３０ａ、３０ｂ、第２の突設係止部３２ａ、３２ｂを設ける代わりに、図１４に示したように、バックル開閉部材２８の端部に、突設係止部２８ａのみを設けた構造とすることも可能である。
【０１４５】
一方、中間係止部材１４で連結されたベルト部材１２の他方の端部（第２のベルト部材１２ｂの他方の端部１２ｄ）に、脱着自在に連結される第２の係止部材３８を備えている。
【０１４６】
図１〜図４に示したように、この実施例では、第２の係止部材３８は、服飾のベルトに用いられている従来公知のベルト形状のベルト型係止部材４０を用いることができるものであって、特に限定されるものではない。
【０１４７】
そして、ベルト型係止部材４０のベルト部材１２側（第２のベルト部材１２ｂの他方の端部１２ｄ側）には、ベルト部材１２ｂを脱着自在に挿入係止する第２の挿入係合部材４２が備えられている。
【０１４８】
そして、第２の挿入係合部材４２には、ベルト部材１２を脱着自在に挿入係止するためのスリット４２ａを備えた第２のベルト係合穴４４が形成されている。
【０１４９】
これにより、ベルト形状のベルト型係止部材４０のベルト部材１２側に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができるように構成されている。
【０１５０】
なお、この場合、ベルト型係止部材４０の第２の挿入係合部材４２としては、図１に示したように、例えば、前述した中間係止部材１４を用いることが可能である。これにより、部品点数を低減できるので、コストを低減でき、かつ、汎用性に優れる。
【０１５１】
また、図１〜図２に示したように、このベルト形状のベルト型係止部材４０には、一定間隔離間して、凹凸４０ａが形成されているのが望ましい。
【０１５２】
このように構成することによって、第２の係止部材３８のベルト型係止部材４０に形成された凹凸４０ａによって、例えば、ベルト型係止部材４０の余った部分を切断する位置が把握できるとともに、この凹凸４０ａによって、バックル型係止部材の表面に形成することによって、裏表を確認でき、裏表を間違って装着するのを防止することができる。
【０１５３】
なお、この実施例の場合には、略円形形状の凹凸４０ａを形成したが、その形状、数、配置位置などは、適宜変更可能である。
【０１５４】
また、図６（Ａ）、図６（Ｂ）に示したように、ベルト型係止部材４０の長手方向に沿って延びる少なくとも１つの凹凸４０ｂとすることも可能である。
【０１５５】
このように構成される本発明のトレーニング用ベルト１０によれば、図１の矢印で示したように、複数の輪形状の伸縮自在なベルト部材１２（この実施例の場合には、第１のベルト部材１２ａ、第２のベルト部材１２ｂ）同士を、中間係止部材１４を介して、脱着自在に連結するようになっている。
【０１５６】
すなわち、係止バー本体１４ａと第１の係止バー部材１４ｃとに囲まれた部分に形成された第１の係止穴１６ａに、第１のスリット１８ａを介して、複数のベルト部材１２の一方の端部のベルト部材１２ａを脱着自在に挿入係合することができる。
【０１５７】
そして、係止バー本体１４ａと第２の係止バー部材１４ｄとに囲まれた部分に形成された第２の係止穴１６ｂに、第２のスリット１８ｂを介して、複数のベルト部材１２の他方の端部のベルト部材１２ｂを脱着自在に挿入係合することができる。
【０１５８】
このようにして、複数のベルト部材１２同士（この実施例では、第１のベルト部材１２ａ、第２のベルト部材１２ｂ）を、簡単容易に、脱着自在に連結することができる。
【０１５９】
そして、中間係止部材１４で連結されたベルト部材１２の一方の端部（第１のベルト部材１２ａの一方の端部１２ｃ側）に、第１の係止部材２０が脱着自在に連結される。
【０１６０】
また、中間係止部材１４で連結されたベルト部材１２の他方の端部（第２のベルト部材１２ｂの他方の端部１２ｄ）に、第２の係止部材３８が、脱着自在に連結される。
【０１６１】
すなわち、バックル型係止部材２２のベルト部材１２側（第１のベルト部材１２ａの一方の端部１２ｃ側）に備えられた、第１の挿入係合部材３４のスリット３４ａを介して、第１の挿入係合部材３４の第１のベルト係合穴３６に、ベルト部材１２を脱着自在に挿入係止することができる。
【０１６２】
また、ベルト型係止部材４０のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができる。
【０１６３】
この状態で、第１の係止部材２０であるバックル型係止部材２２と、第２の係止部材３８であるベルト型係止部材４０とを、図３〜図４の矢印Ａ、Ｂで示したように、係止することによって、輪形状になるように構成されている。
【０１６４】
従って、従来の一般的に販売されているループバンドを、ベルト部材１２として利用することが可能で、複数のループバンド（ベルト部材１２）を簡単な構造で、しかも容易に任意の長さに脱着自在に連結でき、コストも手間も低減でき、持ち運びにも便利なトレーニング用ベルト１０を提供することができる。
【０１６５】
また、例えば、使用目的、使用部位、トレーニング方法、トレーニング強度、ループの強さ（負荷）など応じて、様々な長さのループバンドとして、簡単に使用可能なトレーニング用ベルト１０を提供することができる。
【０１６６】
さらに、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【０１６７】
また、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト１０を提供することができる。
【０１６８】
このように構成される本発明のトレーニング用ベルト１０は、例えば、図４に示したように、トレーニング用ベルト１０を組み立てて、トレーニングのために、ゴムまりＣを両足Ｄ（例えば、太もも）の間に挟んだ状態で、トレーニングすることができる。
【０１６９】
すなわち、図４の矢印Ｅで示した方向に、足Ｄを外に開く方向に負荷かけたり、図４の矢印Ｆで示した方向に、ゴムまりＣを圧縮することによって、負荷かけたりすることによって、足全体のトレーニングに供することができる。
【０１７０】
このようなトレーニングの他、図７〜図１３に示したような、以下のようなトレーニング方法に用いることができる。
【０１７１】
なお、トレーニング方法としては、何らこれに限定されるものではなく、種々のトレーニング方法に適用することが可能である。
【０１７２】
例えば、図７に示したように、いわゆる「二の腕シェイプ」、すなわち、片方のトレーニング用ベルト１０の一端を足で踏み、肘を支点として、腕を後方へ持ち上げて伸ばし、ゆっくり戻すトレーニングに適用できる。
【０１７３】
また、図８に示したように、いわゆる「お腹回りシェイプ」、すなわち、片方のトレーニング用ベルト１０の一端を足で踏み、上半身を横方向に傾けて、伸ばし、ゆっくり戻すトレーニングに適用できる。
【０１７４】
また、図９に示したように、いわゆる「椅子を用いた足部シェイプ」、すなわち、椅子に座った状態で、片足を曲げて、片方のトレーニング用ベルト１０の一端を足の裏側に掛けて、ゆっくり戻すトレーニングに適用できる。
【０１７５】
また、図１０に示したように、いわゆる「足部シェイプ」、すなわち、体を横たえた状態で、両足にトレーニング用ベルト１０を掛けて、伸ばし、ゆっくり戻すトレーニングに適用できる。
【０１７６】
また、その他、図１１（Ａ）〜図１３（Ｂ）に示したような、種々のトレーニングに適用できる。なお、そのトレーニングの詳細については、図示で容易に理解できるので、その説明を省略する。
【０１７７】
さらに、このようなトレーニング以外に、図示しないが、例えば、椅子に着座した状態で、手と足との間に掛け渡して行うトレーニング、椅子に着座した状態で、両足のふくらはぎ、足首などに掛け渡して行うトレーニングなど、その他の様々なトレーニングに使用可能であって、何らトレーニング方法について限定されるものではない。
また、その他、スポーツ団体や、各種団体（クラブ活動など）の移動用バス内でのトレーニングなどに使用することができる。
（実施例２）
【０１７８】
図１５は、本発明のトレーニング用ベルト１０の別の実施例の部分分解上面図、図１６は、本発明のトレーニング用ベルト１０の別の実施例の雄形状係止部材５６の上面図である。
【０１７９】
この実施例のトレーニング用ベルト１０は、図１〜図１４に示した実施例のトレーニング用ベルト１０と基本的には同様な構成であり、同一の構成部材には、同一の参照番号を付して、その詳細な説明を省略する。
【０１８０】
図１５に示したように、この実施例のトレーニング用ベルト１０では、第１の係止部材２０が、スナップフィット型の雌形状係止部材５０から構成されている。そして、この雌形状係止部材５０には、後述する雄形状係止部材５６の雄形係合部５６ａが、脱着自在に係合する２つの雌型係合孔５０ａが形成されている。
【０１８１】
そして、雌形状係止部材５０のベルト部材１２側（第１のベルト部材１２ａの一方の端部１２ｃ側）には、ベルト部材１２を脱着自在に挿入係止する第１の挿入係合部材３４が備えられている。
【０１８２】
そして、第１の挿入係合部材３４には、ベルト部材１２ａを脱着自在に挿入係止するためのスリット３４ａを備えた第１のベルト係合穴３６が形成されている。
【０１８３】
このように構成することによって、雌形状係止部材５０のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０１８４】
一方、第２の係止部材３８が、雌形状係止部材５０に対応するスナップフィット型の雄形状係止部材５６から構成されている。そして、雄形状係止部材５６には、幅方向に屈曲自在な２つの雄形係合部５６ａが形成されている。
【０１８５】
また、雄形状係止部材５６のベルト部材１２側（第２のベルト部材１２ｂの他方の端部１２ｄ側）には、ベルト部材１２ｂを脱着自在に挿入係止する第２の挿入係合部材４２が備えられている。
【０１８６】
すなわち、雄形状係止部材５６には、ベルト５４が長さ調整自在に装着されており、ベルト５４のベルト部材１２側の端部に、第２の挿入係合部材４２が備えられており、ベルト５４は、雄形状係止部材５６に、図１５の矢印に示したように装着されるようになっている。
【０１８７】
また、ベルト５４のベルト部材１２側の端部に、第２の挿入係合部材４２が備えられている。
そして、第２の挿入係合部材４２には、ベルト部材を脱着自在に挿入係止するためのスリット４２ａを備えた第２のベルト係合穴４４が形成されている。
【０１８８】
これにより、雄形状係止部材５６のベルト部材１２側に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができるように構成されている。
【０１８９】
このように構成することによって、スナップフィット型の雌形状係止部材５０のベルト部材１２側（第１のベルト部材１２ａの一方の端部１２ｃ側）に備えられた、第１の挿入係合部材３４のスリット３４ａを介して、第１の挿入係合部材３４の第１のベルト係合穴３６に、ベルト部材１２を脱着自在に挿入係止することができる。
【０１９０】
また、スナップフィット型の雄形状係止部材５６のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができる。
【０１９１】
この状態で、スナップフィット型の雌形状係止部材５０と雄形状係止部材５６とを係止（雄形状係止部材５６の雄形係合部５６ａを、雌形状係止部材５０の雌型係合孔５０ａに脱着自在に係合する）することによって、輪形状になるように構成されている。
【０１９２】
従って、スナップフィット型の雌形状係止部材５０と雄形状係止部材５６との係止位置を、すなわち、雄形状係止部材５６の長さ調整自在に装着されたベルト５４を調整することによって、例えば、使用目的、使用部位、トレーニング方法、トレーニング強度、ループの強さ（負荷）など応じて、様々な長さのループバンドとして、簡単に使用可能なトレーニング用ベルト１０を提供することができる。
【０１９３】
さらに、スナップフィット型の雌形状係止部材５０と雄形状係止部材５６との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルト１０を提供することができる。
【０１９４】
また、スナップフィット型の雌形状係止部材５０と雄形状係止部材５６との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト１０を提供することができる。
【０１９５】
なお、この実施例では、雌形状係止部材５０において、ベルト部材１２ａを脱着自在に挿入係止するためのスリット３４ａを、第１の挿入係合部材３４に形成したが、図１６に示したように、雌形状係止部材５０自体に、スリット３４ａを形成することも可能である。
（実施例３）
【０１９６】
図１７は、本発明のトレーニング用ベルト１０の別の実施例の部分分解上面図である。
【０１９７】
この実施例のトレーニング用ベルト１０は、図１５〜図１６に示した実施例のトレーニング用ベルト１０と基本的には同様な構成であり、同一の構成部材には、同一の参照番号を付して、その詳細な説明を省略する。
【０１９８】
図１７に示したように、この実施例のトレーニング用ベルト１０では、雄形状係止部材５６には、ベルト５４が設けられておらず、雄形状係止部材５６のベルト部材１２側（第２のベルト部材１２ｂの他方の端部１２ｄ側）には、ベルト部材１２ｂを脱着自在に挿入係止する第２の挿入係合部材４２が一体的に備えられている。
また、第２の挿入係合部材４２のスリット４２ａは、雄形状係止部材５６の雄形係合部５６ａの間に形成されている。
【０１９９】
このように構成することによって、トレーニング用ベルト１０の長さは、調整できないが、スナップフィット型の雌形状係止部材５０と雄形状係止部材５６とを係止（雄形状係止部材５６の雄形係合部５６ａを、雌形状係止部材５０の雌型係合孔５０ａに脱着自在に係合する）することによって、輪形状になるように構成されている。
（実施例４）
【０２００】
図１８は、本発明のトレーニング用ベルト１０の別の実施例の部分分解上面図である。
【０２０１】
この実施例のトレーニング用ベルト１０は、図１〜図１４に示した実施例のトレーニング用ベルト１０と基本的には同様な構成であり、同一の構成部材には、同一の参照番号を付して、その詳細な説明を省略する。
【０２０２】
図１８に示したように、この実施例のトレーニング用ベルト１０では、第１の係止部材２０が、開閉可能なリング型の第１のリング型係止部材６０から構成されている。すなわち、第１のリング型係止部材６０には、開閉可能な第１の開閉部材６２と、第１のリング穴６２ａが形成されている。
【０２０３】
そして、第１のリング型係止部材６０のベルト部材１２側（第１のベルト部材１２ａの一方の端部１２ｃ側）には、ベルト部材１２ａを脱着自在に挿入係止する第１の挿入係合部材３４が備えられている。
【０２０４】
そして、第１の挿入係合部材３４には、ベルト部材１２ａを脱着自在に挿入係止するためのスリット３４ａを備えた第１のベルト係合穴３６が形成されている。
【０２０５】
このように構成することによって、第１のリング型係止部材６０のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０２０６】
一方、第２の係止部材３８が、開閉可能なリング型の第２のリング型係止部材６４から構成されている。すなわち、第２のリング型係止部材６４には、開閉可能な第２の開閉部材６６と、第２のリング穴６６ａが形成されている。
【０２０７】
そして、第２のリング型係止部材６４のベルト部材１２側（第２のベルト部材１２ｂの他方の端部１２ｄ側）には、ベルト部材１２ｂを脱着自在に挿入係止する第２の挿入係合部材４２が備えられている。
【０２０８】
そして、第２の挿入係合部材４２には、ベルト部材を脱着自在に挿入係止するためのスリット４２ａを備えた第２のベルト係合穴４４が形成されている。
【０２０９】
これにより、第２のリング型係止部材６４のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができるように構成されている。
【０２１０】
そして、第１のリング型係止部材６０と第２のリング型係止部材６４とを係止することによって、輪形状になるように構成されている。
【０２１１】
このように構成することによって、開閉可能な第１のリング型係止部材６０のベルト部材１２側（第１のベルト部材１２ａの一方の端部１２ｃ側）に備えられた、第１の挿入係合部材３４のスリット３４ａを介して、第１の挿入係合部材３４の第１のベルト係合穴３６に、ベルト部材１２を脱着自在に挿入係止することができる。
【０２１２】
また、開閉可能な第２のリング型係止部材６４のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができる。
【０２１３】
この状態で、開閉可能なリング型の第１のリング型係止部材６０と第２のリング型係止部材６４とを係止することによって、輪形状になるように構成されている。
【０２１４】
従って、開閉可能なリング型の第１のリング型係止部材６０と第２のリング型係止部材６４との係止位置を調整することによって、例えば、使用目的、使用部位、トレーニング方法、トレーニング強度、ループの強さ（負荷）など応じて、様々な長さのループバンドとして、簡単に使用可能なトレーニング用ベルト１０を提供することができる。
【０２１５】
さらに、開閉可能なリング型の第１のリング型係止部材６０と第２のリング型係止部材６４との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルト１０を提供することができる。
【０２１６】
また、開閉可能なリング型の第１のリング型係止部材６０と第２のリング型係止部材６４との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト１０を提供することができる。
（実施例５）
【０２１７】
図１９は、本発明のトレーニング用ベルト１０の別の実施例の部分分解上面図である。
【０２１８】
この実施例のトレーニング用ベルト１０は、図１８に示した実施例のトレーニング用ベルト１０と基本的には同様な構成であり、同一の構成部材には、同一の参照番号を付して、その詳細な説明を省略する。
【０２１９】
図１９に示したように、この実施例のトレーニング用ベルト１０では、第１の係止部材２０が、リング型の第１のリング型係止部材７０から構成されている。
【０２２０】
すなわち、第１のリング型係止部材７０には、２つの第１のリング部７２が形成されている。
【０２２１】
そして、第１のリング型係止部材７０のベルト部材１２側（第１のベルト部材１２ａの一方の端部１２ｃ側）には、ベルト部材１２ａを脱着自在に挿入係止する第１の挿入係合部材３４が備えられている。
【０２２２】
そして、第１の挿入係合部材３４には、ベルト部材１２ａを脱着自在に挿入係止するためのスリット３４ａを備えた第１のベルト係合穴３６が形成されている。なお、この場合、スリット３４ａは、図１９に示したように、第１のリング部７２の間の離間部分に形成されている。
【０２２３】
このように構成することによって、第１のリング型係止部材６０のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０２２４】
一方、第２の係止部材３８が、第１のリング型係止部材７０の第１のリング部７２に嵌着するリング型の第２のリング型係止部材７４から構成されている。すなわち、第２のリング型係止部材７４には、２つの第２のリング部７６が形成されている。
【０２２５】
そして、第２のリング型係止部材７４のベルト部材１２側（第２のベルト部材１２ｂの他方の端部１２ｄ側）には、ベルト部材１２ｂを脱着自在に挿入係止する第２の挿入係合部材４２が備えられている。
【０２２６】
そして、第２の挿入係合部材４２には、ベルト部材を脱着自在に挿入係止するためのスリット４２ａを備えた第２のベルト係合穴４４が形成されている。なお、この場合、スリット４２ａは、図１９に示したように、第２のリング型係止部材７４の間の離間部分に形成されている。
【０２２７】
これにより、第２のリング型係止部材７４のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができるように構成されている。
【０２２８】
そして、第１のリング型係止部材７０と第２のリング型係止部材７４とを係止（第１のリング部７２に、第２のリング部７６を知恵の輪的に嵌着して係合）することによって、輪形状になるように構成されている。
【０２２９】
このように構成することによって、第１のリング型係止部材７０のベルト部材１２側（第１のベルト部材１２ａの一方の端部１２ｃ側）に備えられた、第１の挿入係合部材３４のスリット３４ａを介して、第１の挿入係合部材３４の第１のベルト係合穴３６に、ベルト部材１２を脱着自在に挿入係止することができる。
【０２３０】
また、第２のリング型係止部材７４のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができる。
【０２３１】
この状態で、リング型の第１のリング型係止部材７０と第２のリング型係止部材７４とを係止することによって、輪形状になるように構成されている。
【０２３２】
従って、リング型の第１のリング型係止部材７０と第２のリング型係止部材７４との係止位置を調整することによって、例えば、使用目的、使用部位、トレーニング方法、トレーニング強度、ループの強さ（負荷）など応じて、様々な長さのループバンドとして、簡単に使用可能なトレーニング用ベルト１０を提供することができる。
【０２３３】
さらに、リング型の第１のリング型係止部材７０と第２のリング型係止部材７４との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルト１０を提供することができる。
【０２３４】
また、リング型の第１のリング型係止部材７０と第２のリング型係止部材７４との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト１０を提供することができる。
【０２３５】
（実施例６）
図２１は、本発明のトレーニング用ベルト１０の別の実施例の部分分解図、図２２は、図２１のトレーニング用ベルト１０の組み立てた状態の断面図である。
【０２３６】
この実施例のトレーニング用ベルト１０は、図１〜図１９に示したトレーニング用ベルト１０と基本的には同様な構成であり、同一の構成部材には、同一の参照番号を付して、その詳細な説明を省略する。
【０２３７】
図２１〜図２２に示したように、この実施例のトレーニング用ベルト１０では、図１４に示した実施例の変形例である。
【０２３８】
すなわち、この実施例のトレーニング用ベルト１０では、図２１〜図２２に示したように、図１４と同様に、バックル型係止部材２２であって、バックル開閉部材２８の端部に、突設係止部２８ａのみを設けた構造となっている。
【０２３９】
また、バックル型係止部材２２は、バックル型係止部材２２のベルト部材１２側（第１のベルト部材１２ａの一方の端部１２ｃ側）には、ベルト部材１２ａを脱着自在に挿入係止するために、図１の実施例と同様な構成の第１の挿入係合部材３４が固着されている。
【０２４０】
すなわち、第１の挿入係合部材３４には、ベルト部材１２ａを脱着自在に挿入係止するためのスリット３４ａを備えた第１のベルト係合穴３６が形成されている。
【０２４１】
このように構成することによって、バックル型係止部材２２のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０２４２】
（実施例７）
図２３は、本発明のトレーニング用ベルト１０の別の実施例の図４と同様な図１のトレーニング用ベルト１０を組み立てて、トレーニングのために、ゴムまりＣを両足Ｄの間に挟んだ状態を説明する断面図、図２４は、第３の係止部材１３の分解斜視図、図２５（Ａ）は、第３の係止部材１３の係止部材本体１５の正面図、図２５（Ｂ）は、第３の係止部材１３の係止部材本体１５の平面図、図２５（Ｃ）は、第３の係止部材１３の係止部材本体１５の断面図、図２６は、本発明のトレーニング用ベルト１０のトレーニングの概略を模式的に示す概略図である。
【０２４３】
この実施例のトレーニング用ベルト１０は、図１〜図１９に示した実施例のトレーニング用ベルト１０と基本的には同様な構成であり、同一の構成部材には、同一の参照番号を付して、その詳細な説明を省略する。
【０２４４】
図２３に示したように、この実施例のトレーニング用ベルト１０では、前述の実施例に示したように、輪形状になったトレーニング用ベルトのベルト部材１０に、さらに、脱着自在に連結される少なくとも１個の（この実施例では、左右一対の）の第３の係止部材１３を備えている。
【０２４５】
すなわち、図２３〜図２５（Ｃ）に示したように、第３の係止部材１３は、前述の実施例に示したように、輪形状になったトレーニング用ベルトのベルト部材１０に、さらに、脱着自在に連結される係止部材本体１５を備えている。
【０２４６】
係止部材本体１５は、図２３〜図２５（Ｃ）に示したように、平板部１５ａと、この平板部１５ａの短手方向両側に上方に延設された側板部１５ｂ、１５ｃとから構成されている。
【０２４７】
また、図２５（Ｂ）〜図２５（Ｃ）に示したように、係止部材本体１５が、開閉可能な輪形状である。すなわち、側板部１５ｂ、１５ｃが、相互に開閉可能なように構成されている。
なお、平板部１５ａには、例えば、図２５（Ｃ）に示したように、例えば、ゴムなどからなる保護部材１５ｅが設けられており、ベルト部材１０が損傷しないように保護している。
【０２４８】
そして、このようにして係止部材本体１５の輪形状になった部分に、前述の実施例のように、輪形状になったトレーニング用ベルト１０のベルト部材（１２ａ、１２ｂ）が、脱着自在に連結されるように構成されている。
【０２４９】
さらに、図２３〜図２５（Ｃ）に示したように、側板部１５ｂ、１５ｃに、係止孔１５ｄが形成されている。
また、図２４に示したように、第３の係止部材１３は、別の輪形状の伸縮自在なベルト部材１２ｅを脱着自在に連結する連結部１７を備えている。
【０２５０】
そして、連結部１７は、係止部材本体１５と脱着自在に連結されるように構成されている。すなわち、この実施例の場合には、図２４に示したように、連結部１７は、リング型係止部材となっており、開閉可能な開閉部材１７ａと、リング穴１７ｂが形成されている。
【０２５１】
また、連結部１７のベルト部材側、すなわち、別の輪形状の伸縮自在なベルト部材１２ｅ側には、ベルト部材１２ｅを脱着自在に挿入係止する挿入係合部材１９が備えられている。
【０２５２】
この挿入係合部材１９は、略リング形状であって、その端部には、開閉部１９ａによって開閉できるとともに、係止できるロック係止機構２１を備えている。
【０２５３】
なお、このロック係止機構２１は、特に限定されるものではなく、周知の係止機構を採用することができる。この実施例の場合には、例えば、蝶ネジ２１ａによってロックができるように構成されている。
【０２５４】
すなわち、この実施例では、ロック係止機構２１を解除・ロックして、開閉部１９ａを開閉することによって、開閉部１９ａを介して、リング孔１９ｂを開閉することによって、別の輪形状の伸縮自在なベルト部材１２ｅを脱着自在に連結することができるように構成されている。
【０２５５】
なお、この実施例では、この実施例では、２個の左右一対の第３の係止部材１３を備えているが、この第３の係止部材１３の数は、目的とする運動、エクササイズに応じて、適宜その数、位置を変更することが可能である。
【０２５６】
この実施例の本発明のトレーニング用ベルト１０は、例えば、図２６に示したように、さらに、両足に、別の輪形状の伸縮自在なベルト部材１２ｅを使用すれば、腕、足腰など総合的な運動、エクササイズを行うことができ極めて便利である。
【０２５７】
また、本発明のトレーニング用ベルト１０は、例えば、図２６に示したように、例えば、長いベルト部材１２を用いて、例えば、腕、首、背中、肩、腰、腹、腹筋、背筋、肩甲骨などの運動を行う。
また、例えば、短い一方のベルト部材１２ｅを用いて、腕や、指の運動を行うとともに、他方のベルト部材１２ｅを用いて、足首や足の運動を行うことができる。
【０２５８】
さらに、図２６に示したように、例えば、後述する実施例９〜実施例１３に示したように、例えば、両股の間に、ゴムまり部材８０のゴムまり部材本体８２を挟んで、風船部材本体８６の膨張などの作用によって、両股を開閉する連続運動を行うことができる。
このようにして、本発明によれば、簡単に体幹が鍛えられ、同時に全身運動ができ、極めて便利である。
【０２５９】
なお、図２３に示したように、別の輪形状の伸縮自在なベルト部材１２ｅの表面に、このベルト部材１２ｅの伸縮に伴って伸縮する指標部２９、例えば、「がんばれ」などの文字、人、動物などの顔、キャラクターが形成されていても良い。
これにより、ベルト部材１２ｅの伸縮に伴って、指標部２９が膨張したり縮んだりするので、腕、足腰など総合的な運動、エクササイズを行う使用者の励みになる効果がある。
【０２６０】
（実施例８）
図２７は、本発明のトレーニング用ベルト１０の組み立てた状態の断面図、図２８は、図２７の中間係止部材１４の実施例を示す概略図である。
【０２６１】
この実施例のトレーニング用ベルト１０は、図１〜図１９に示したトレーニング用ベルト１０と基本的には同様な構成であり、同一の構成部材には、同一の参照番号を付して、その詳細な説明を省略する。
【０２６２】
図２７〜図２８に示したように、この実施例のトレーニング用ベルト１０では、図４〜図５の実施例と同様に、円で囲った部分に、この実施例の中間係止部材１４を備えている。
この中間係止部材１４は、中間係止部材１４の中央部分に形成された係止バー本体１４ａを備えている。
【０２６３】
そして、係止バー本体１４ａの両端から、延設部１４ｂを介して、一定間隔離間するようにそれぞれ延設された、第１の係止バー部材１４ｃと第２の係止バー部材１４ｄを備えている。
【０２６４】
また、係止バー本体１４ａと第１の係止バー部材１４ｃとに囲まれた部分に、第１の係止穴１６ａが形成されている。
一方、係止バー本体１４ａと第２の係止バー部材１４ｄとに囲まれた部分に、第２の係止穴１６ｂが形成されている。
【０２６５】
そして、第１の係止バー部材１４ｃが、第１の係止穴１６ａを開閉可能にするように、開閉可能に構成されている。また、延設部１４ｂの端部には、開閉部２３ａによって開閉できるとともに、係止できるロック係止機構２５ａを備えている。
【０２６６】
なお、このロック係止機構２５ａは、特に限定されるものではなく、周知の係止機構を採用することができる。この実施例の場合には、例えば、蝶ネジ２７ａによってロックができるように構成されている。
【０２６７】
同様に、第２の係止バー部材１４ｄが、第２の係止穴１６ｂを開閉可能にするように、開閉可能に構成されている。また、延設部１４ｂの端部には、開閉部２３ｂによって開閉できるとともに、係止できるロック係止機構２５ｂを備えている。
【０２６８】
なお、このロック係止機構２５ｂは、特に限定されるものではなく、周知の係止機構を採用することができる。この実施例の場合には、例えば、蝶ネジ２７ｂによってロックができるように構成されている。
【０２６９】
このように構成することにって、第１の係止バー部材１４ｃが、第１の係止穴１６ａを開閉可能にするように、開閉可能に構成されているとともに、第２の係止バー部材１４ｄが、第２の係止穴１６ｂを開閉可能にするように、開閉可能に構成されている。
【０２７０】
従って、開閉可能な第１の係止バー部材１４ｃと第２の係止バー部材１４ｄによって、第１の係止穴１６ａ、第２の係止穴１６ｂが開閉されるので、、ベルト部材同士の連結、取り外しが容易になり、極めて便利である。
【０２７１】
（実施例９）
図２９は、本発明のゴムまり部材８０の斜視図、図３０は、本発明のゴムまり部材８０を用いて、本発明のトレーニング用ベルト１０の別の実施例の図４と同様な図１のトレーニング用ベルト１０を組み立てて、トレーニングのために、ゴムまり部材８０を両足Ｄの間に挟んだ状態を説明する断面図である。
【０２７２】
この実施例のトレーニング用ベルト１０は、図１〜図１９に示したトレーニング用ベルト１０と基本的には同様な構成であり、同一の構成部材には、同一の参照番号を付して、その詳細な説明を省略する。
【０２７３】
図２９に示したように、この実施例のゴムまり部材８０は、図２９に示したように、周知の形状のゴムまりから構成されるゴムまり部材本体８２を備えている。
ゴムまり部材本体８２には、周知の構成の空気導入口８２ａが形成されており、空気導入口８２ａとは別に、開閉穴８２ｃを備えている。この開閉穴８２ｃには、開閉可能な蓋部材８２ｂを備えている。
【０２７４】
この蓋部材８２ｂによって、開閉穴８２ｃを閉止することによって、ゴムまり部材本体８２の空気導入口８２ａを介して導入された空気が、外部に漏洩することがないように構成されている。
【０２７５】
なお、ゴムまり部材本体８２の開閉穴８２ｃを弾力性を有するようにして、ノズル部材８８の先端部８８ｃが、ゴムまり部材本体８２の開閉穴８２ｃに脱着自在に挿入する際に、ゴムまり部材本体８２の開閉穴８２ｃとノズル部材８８の中間部８８ｅとの間から、ゴムまり部材本体８２の開閉穴８２ｃを介して導入された空気が、外部に漏洩することがないようにするのが望ましい。
【０２７６】
そして、ゴムまり部材８０は、ゴムまり部材本体８２の開閉穴８２ｃに脱着自在に挿着される風船部材８４を備えている。また、風船部材８４は、周知の風船からなる風船部材本体８６を備えている。
【０２７７】
なお、図２９に示したように、風船部材本体８６の表面に、この風船部材本体８６の伸縮に伴って伸縮する指標部８１、例えば、「がんばれ」などの文字、人、動物などの顔、キャラクターが形成されていても良い。
【０２７８】
これにより、風船部材本体８６の伸縮に伴って、指標部８１が膨張したり縮んだりするので、腕、足腰など総合的な運動、エクササイズを行う使用者の励みになる効果がある。
腕、足腰など総合的な運動、エクササイズを行う使用者の励みになる効果がある。
【０２７９】
また、図２９に示したように、風船部材８４は、風船部材本体８６の空気口８６ａに装着されたノズル部材８８を備えている。
そして、ノズル部材８８は、ノズル部材８８の基端部８８ａが、風船部材本体８６の空気口８６ａに装着されている。
【０２８０】
この実施例では、ノズル部材８８の基端部８８ａは、略ドーム形状になっており、その中央部分に開口部８８ｂが形成されている。
また、図２９に示したように、ノズル部材８８には、ノズル形状となった先端部８８ｃを備えている。この先端部８８ｃには、複数の空気穴８８ｄが形成されており、この空気穴８８ｄと開口部８８ｂとが連通するように構成されている。
【０２８１】
そして、ノズル部材８８の先端部８８ｃが、ゴムまり部材本体８２の開閉穴８２ｃに脱着自在に挿入されるように構成されている。
【０２８２】
このように構成される本発明の本発明のゴムまり部材８０は、以下のようにして使用される。
【０２８３】
先ず、公知のボール用の空気ポンプなどを用いて、ゴムまり部材本体８２の空気導入口８２ａを介して、ゴムまり部材本体８２の内部に空気を導入して、ゴムまり部材本体８２を膨らませる。
【０２８４】
なお、この際には、蓋部材８２ｂによって、開閉穴８２ｃを閉止することによって、ゴムまり部材本体８２の空気導入口８２ａを介して導入された空気が、外部に漏洩することがないようにする。
【０２８５】
その後、蓋部材８２ｂを開いて、開閉穴８２ｃに、ノズル部材８８の先端部８８ｃを所定の位置（ゴムまり部材本体８２内の空気が外部に漏洩しない位置）まで挿入する。
【０２８６】
これにより、ゴムまり部材本体８２に、外部より圧力を加えることによって、ゴムまり部材本体８２の内部の空気が、ノズル部材８８の先端部８８ｃに形成された空気穴８８ｄ、ノズル部材８８の基端部８８ａの開口部８８ｂを介して、風船部材本体８６に移動して、風船部材本体８６が膨張するように構成されている。
【０２８７】
なお、この際、図３０に示したように、本発明のゴムまり部材８０を用いて、本発明のトレーニング用ベルト１０の別の実施例の図４と同様な図１のトレーニング用ベルト１０を組み立てて、トレーニングのために、ゴムまり部材８０を両足Ｄの間に挟んだ状態で使用しても良い。
【０２８８】
この場合には、トレーニング用ベルト１０を使用して、ゴムまり部材本体８２に、外部より圧力を加えることによって、ゴムまり部材本体８２の内部の空気が、ノズル部材８８の先端部８８ｃに形成された空気穴８８ｄ、ノズル部材８８の基端部８８ａの開口部８８ｂを介して、風船部材本体８６に移動して、風船部材本体８６が膨張するように構成されている。
【０２８９】
このように構成することにって、ゴムまり部材８０を用いて、ゴムまり部材本体８２に、外部より圧力を加えることによって、ゴムまり部材本体８２の内部の空気が、ノズル部材８８の先端部８８ｃに形成された空気穴８８ｄ、ノズル部材８８の基端部８８ａの開口部８８ｂを介して、風船部材本体８６に移動して、風船部材本体８６が膨張する。
【０２９０】
一方、ゴムまり部材本体８２への外部より圧力を弱めることによって、ゴムまり部材本体８２の弾性によって、ゴムまり部材本体８２が膨張する方向に移動する。
【０２９１】
これにより、逆に、風船部材本体８６内の空気が、ノズル部材８８の基端部８８ａの開口部８８ｂ、ノズル部材８８の先端部８８ｃに形成された空気穴８８ｄを介して、ゴムまり部材本体８２内に移動して、ゴムまり部材本体８２が膨張するとともに、風船部材本体８６が萎むように構成されている。
【０２９２】
このように構成することにって、例えば、脚の運動、握力の強化などの様々な運動、エクササイズにおいて、風船部材本体８６が膨らんだり、萎んだりするので、運動の目安となって極めて便利である。
【０２９３】
また、例えば、両股の間に、ゴムまり部材８０のゴムまり部材本体８２を挟んで、両股を閉じる運動をする際の、この運動の押圧力で、ゴムまり部材本体８２に、外部より圧力を加えることによって、ゴムまり部材本体８２の内部の空気が、ノズル部材８８の先端部８８ｃに形成された空気穴８８ｄを介して、風船部材本体８６に移動して、風船部材本体８６が膨張する。
【０２９４】
そして、運動を停止して、例えば、今度は、両股を開く運動や、休憩している間に、風船部材本体８６の圧力によって、ノズル部材８８の先端部８８ｃに形成された空気穴８８ｄを介して、ゴムまり部材本体８２の内部に空気が移動して、ゴムまり部材本体８２が再び膨張する。
このような繰り返しで、ゴムまり部材８０による連続した運動が可能となる。
【０２９５】
（実施例１０）
図３１（Ａ）は、本発明のゴムまり部材８０の別の実施例の斜視図、図３１（Ｂ）は、ノズル部材８８の基端部８８ａの上面図である。。
【０２９６】
この実施例のゴムまり部材８０は、図２９〜図３０に示したゴムまり部材８０と基本的には同様な構成であり、同一の構成部材には、同一の参照番号を付して、その詳細な説明を省略する。
【０２９７】
図２９〜図３０に示したゴムまり部材８０では、ノズル部材８８の基端部８８ａは、略ドーム形状になっており、その中央部分に開口部８８ｂが形成されている。
【０２９８】
これに対して、この実施例のゴムまり部材８０では、図３１（Ａ）〜図３１（Ｂ）に示したように開口部８８ｂの他に、開口部８８ｂの周囲に複数の開口部８３が形成されている。
【０２９９】
（実施例１１）
図３２は、本発明のゴムまり部材８０の別の実施例の斜視図である。
【０３００】
この実施例のゴムまり部材８０は、図２９〜図３０に示したゴムまり部材８０と基本的には同様な構成であり、同一の構成部材には、同一の参照番号を付して、その詳細な説明を省略する。
【０３０１】
図２９〜図３０に示したゴムまり部材８０では、ノズル部材８８の基端部８８ａは、略ドーム形状になっており、その中央部分に開口部８８ｂが形成されている。
【０３０２】
これに対して、この実施例のゴムまり部材８０では、図３２に示したように、ノズル部材８８の基端部８８ａは、円形の凹部８５を有する形状になっており、凹部８５の中央部分に開口部８８ｂが形成されている。
【０３０３】
（実施例１２）
図３３は、本発明のゴムまり部材８０の別の実施例の斜視図である。
【０３０４】
この実施例のゴムまり部材８０は、図２９〜図３０に示したゴムまり部材８０と基本的には同様な構成であり、同一の構成部材には、同一の参照番号を付して、その詳細な説明を省略する。
【０３０５】
図２９〜図３０に示したゴムまり部材８０では、ノズル部材８８の基端部８８ａは、略ドーム形状になっており、その中央部分に開口部８８ｂが形成されている。
【０３０６】
これに対して、この実施例のゴムまり部材８０では、図３１（Ａ）〜図３１（Ｂ）の実施例１１と同様に、図３３に示したように、開口部８８ｂの他に、開口部８８ｂの周囲に複数の開口部８３が形成されている。
【０３０７】
また、図３３に示したように、図２９〜図３０に示したゴムまり部材８０では、ノズル部材８８の先端部８８ｃに空気穴８８ｄを形成しているが、この実施例では、ノズル部材８８の中間部８８ｅにも、空気穴８８ｆが形成されている。
この場合、空気穴８８ｆの数、形状などは特に限定されるものではない。
【０３０８】
（実施例１３）
図３４は、本発明のゴムまり部材８０の別の実施例の斜視図である。
【０３０９】
この実施例のゴムまり部材８０は、図２９〜図３０に示したゴムまり部材８０と基本的には同様な構成であり、同一の構成部材には、同一の参照番号を付して、その詳細な説明を省略する。
【０３１０】
図３４に示したように、この実施例のゴムまり部材８０では、風船部材本体８６が、キャラクターの形状となっている。
すなわち、この実施例のゴムまり部材８０では、風船部材本体８６が、例えば、鯛の形状となっている。
なお、風船部材本体８６のキャラクターは、この実施例の鯛の形状に何ら限定されるものではないことは、もちろんである。
【０３１１】
以上、本発明の好ましい実施の態様を説明してきたが、本発明はこれに限定されることはなく、本発明のトレーニング用ベルト１０、ゴムまり部材８０は、本発明の目的を逸脱しない範囲で種々の変更が可能である。
【産業上の利用可能性】
【０３１２】
本発明は、例えば、エクササイズ、美容、腰痛改善などの健康、歩行障害などのリハビリ、運動不足の解消、手足、足腰、認知症の予防、背筋、胸筋など強化によるスポーツトレーニング、ボディービルなど、その他の分野における種々のトレーニングに使用する、例えば、ゴムなどの伸縮自在なベルトから構成されるトレーニング用ベルト、および、ゴムまり部材に適用することができる。
【符号の説明】
【０３１３】
１０    トレーニング用ベルト
１１    面ファスナー
１２    ベルト部材
１２ａ    第１のベルト部材
１２ｂ    第２のベルト部材
１２ｃ    一方の端部
１２ｄ    他方の端部
１２ｅ    第３のベルト部材
１３    第３の係止部材
１４    中間係止部材
１４ａ    係止バー本体
１４ｂ    延設部
１４ｃ    第１の係止バー部材
１４ｄ    第２の係止バー部材
１５    係止部材本体
１５ａ    平板部
１５ｂ、１５ｃ    側板部
１５ｄ    係止孔
１５ｅ    保護部材
１６ａ    第１の係止穴
１６ｂ    第２の係止穴
１７    連結部
１７ａ    開閉部材
１７ｂ    リング穴
１８ａ    第１のスリット
１８ｂ    第２のスリット
１９    挿入係合部材
１９ａ    開閉部
１９ｂ    リング孔
２０    第１の係止部材
２１    ロック係止機構
２１ａ    蝶ネジ
２２    バックル型係止部材
２２ａ    確認部
２３ａ    開閉部
２３ｂ    開閉部
２４    バックル本体
２５ａ    ロック係止機構
２５ｂ    ロック係止機構
２６    ヒンジ
２７ａ    蝶ネジ
２７ｂ    蝶ネジ
２８    バックル開閉部材
２８ａ    突設係止部
２９    指標部
３０ａ、３０ｂ    第１の突設係止部
３２ａ、３２ｂ    第２の突設係止部
３４    第１の挿入係合部材
３４ａ    スリット
３６    第１のベルト係合穴
３８    第２の係止部材
４０    ベルト型係止部材
４０ａ    凹凸
４０ｂ    凹凸
４２    第２の挿入係合部材
４２ａ    スリット
４４    第２のベルト係合穴
５０    雌形状係止部材
５０ａ    雌型係合孔
５４    ベルト
５６    雄形状係止部材
５６ａ    雄形係合部
６０    第１のリング型係止部材
６２    第１の開閉部材
６２ａ    第１のリング穴
６４    第２のリング型係止部材
６６    第２の開閉部材
６６ａ    第２のリング穴
７０    第１のリング型係止部材
７２    第１のリング部
７４    第２のリング型係止部材
７６    第２のリング部
８０    ゴムまり部材
８１    指標部
８２    ゴムまり部材部材本体
８２ａ    空気導入口
８２ａ    開閉穴
８２ｂ    蓋部材
８２ｃ    開閉穴
８３    開口部
８４    風船部材
８５    凹部
８６    風船部材本体
８６ａ    空気口
８８    ノズル部材
８８ａ    基端部
８８ｂ    開口部
８８ｃ    先端部
８８ｄ    空気穴
８８ｅ    中間部
８８ｆ    空気穴
１００    トレーニングツール
１０２    第１の伸縮性部材
１０４    第２の伸縮性部材
１０６    ループ
１０８    接合部
Ａ、Ｂ    矢印
Ｄ    両足
Ｅ、Ｆ    矢印
【図１】
2020185022.tif 000003
【図２】
2020185022.tif 000004
【図３】
2020185022.tif 000005
【図４】
2020185022.tif 000006
【図５】
2020185022.tif 000007
【図６】
2020185022.tif 000008
【図７】
2020185022.tif 000009
【図８】
2020185022.tif 000010
【図９】
2020185022.tif 000011
【図１０】
2020185022.tif 000012
【図１１】
2020185022.tif 000013
【図１２】
2020185022.tif 000014
【図１３】
2020185022.tif 000015
【図１４】
2020185022.tif 000016
【図１５】
2020185022.tif 000017
【図１６】
2020185022.tif 000018
【図１７】
2020185022.tif 000019
【図１８】
2020185022.tif 000020
【図１９】
2020185022.tif 000021
【図２０】
2020185022.tif 000022
【図２１】
2020185022.tif 000023
【図２２】
2020185022.tif 000024
【図２３】
2020185022.tif 000025
【図２４】
2020185022.tif 000026
【図２５】
2020185022.tif 000027
【図２６】
2020185022.tif 000028
【図２７】
2020185022.tif 000029
【図２８】
2020185022.tif 000030
【図２９】
2020185022.tif 000031
【図３０】
2020185022.tif 000032
【図３１】
2020185022.tif 000033
【図３２】
2020185022.tif 000034
【図３３】
2020185022.tif 000035
【図３４】
2020185022.tif 000036
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
伸縮自在なベルトから構成されるトレーニング用ベルトであって、
複数の輪形状の伸縮自在なベルト部材と、
前記複数のベルト部材同士を、脱着自在に連結する中間係止部材と、
前記中間係止部材で連結されたベルト部材の一方の端部に、脱着自在に連結される第１の係止部材と、
前記中間係止部材で連結されたベルト部材の他方の端部に、脱着自在に連結される第２の係止部材とを備え、
前記第１の係止部材と第２の係止部材とを係止することによって、輪形状になるように構成したトレーニング用ベルトであって、
前記輪形状になったトレーニング用ベルトのベルト部材に、脱着自在に連結される少なくとも１個の第３の係止部材を備え、
前記第３の係止部材が、
前記輪形状になったトレーニング用ベルトのベルト部材に脱着自在に連結される係止部材本体と、
前記係止部材本体と脱着自在に連結されるとともに、別の輪形状の伸縮自在なベルト部材を脱着自在に連結する連結部とを備えることを特徴とするトレーニング用ベルト。
【請求項２】
前記係止部材本体が、開閉可能な輪形状であって、前記係止部材本体の輪形状になった部分に、前記輪形状になったトレーニング用ベルトのベルト部材が、脱着自在に連結されるように構成されていることを特徴とする請求項１に記載のトレーニング用ベルト。
【請求項３】
前記第３の係止部材の連結部が、係止部材本体と脱着自在に連結されるように構成されていることを特徴とする請求項１から２のいずれかに記載のトレーニング用ベルト。
【請求項４】
前記中間係止部材が、
前記中間係止部材の中央部分に形成された係止バー本体と、
前記係止バー本体から一定間隔離間するようにそれぞれ延設され、前記係止バー本体とそれぞれ平行に配置された、第１の係止バー部材と第２の係止バー部材を備え、
前記係止バー本体と第１の係止バー部材とに囲まれた部分に、第１の係止穴が形成され、
前記係止バー本体と第２の係止バー部材とに囲まれた部分に、第２の係止穴が形成され、
前記第１の係止バー部材が、第１の係止穴を開閉可能にするように、開閉可能に構成されているとともに、
前記第２の係止バー部材が、第２の係止穴を開閉可能にするように、開閉可能に構成されていることを特徴とする請求項１から３のいずれかに記載のトレーニング用ベルト。
【請求項５】
別の輪形状の伸縮自在なベルト部材の表面に、前記別の輪形状の伸縮自在なベルト部材の伸縮に伴って伸縮する指標部が形成されていることを特徴とする請求項１から４のいずれかに記載のトレーニング用ベルト。
【請求項６】
請求項１から４のいずれかに記載のトレーニング用ベルトとともに用いるゴムまり部材であって、
前記ゴムまり部材が、ゴムまり部材本体を備え、
前記ゴムまり部材本体が、ゴムまり部材本体の空気導入口とは別に形成された、開閉可能な蓋部材を備えた開閉穴を備え、
前記ゴムまり部材が、前記ゴムまり部材本体の開閉穴に脱着自在に挿着される風船部材を備え、
前記風船部材が、
風船からなる風船部材本体と、
前記風船部材本体の空気口に装着されたノズル部材を備え、
前記ノズル部材の基端部が、前記風船部材本体の空気口に装着され、
前記ノズル部材の先端部が、前記ゴムまり部材本体の開閉穴に脱着自在に挿入され、
前記ノズル部材の先端部には、空気穴が形成されており、
前記ゴムまり部材本体に、前記トレーニング用ベルトを使用して、外部より圧力を加えることによって、ゴムまり部材本体内部の空気が、前記ノズル部材の先端部に形成された空気穴を介して、風船部材本体に移動して、風船部材本体が膨張するように構成されていることを特徴とするゴムまり部材。
【請求項７】
前記風船部材の風船部材本体の表面に、風船部材本体の伸縮に伴って伸縮する風船指標部が形成されていることを特徴とする請求項６に記載のゴムまり部材。
【請求項８】
ゴムまり部材であって、
前記ゴムまり部材が、ゴムまり部材本体を備え、
前記ゴムまり部材本体が、ゴムまり部材本体の空気導入口とは別に形成された、開閉可能な蓋部材を備えた開閉穴を備え、
前記ゴムまり部材が、前記ゴムまり部材本体の開閉穴に脱着自在に挿着される風船部材を備え、
前記風船部材が、
風船からなる風船部材本体と、
前記風船部材本体の空気口に装着されたノズル部材を備え、
前記ノズル部材の基端部が、前記風船部材本体の空気口に装着され、
前記ノズル部材の先端部が、前記ゴムまり部材本体の開閉穴に脱着自在に挿入され、
前記ノズル部材の先端部には、空気穴が形成されており、
前記ゴムまり部材本体に、外部より圧力を加えることによって、ゴムまり部材本体内部の空気が、前記ノズル部材の先端部に形成された空気穴を介して、風船部材本体に移動して、風船部材本体が膨張するように構成されていることを特徴とするゴムまり部材。
【請求項９】
前記風船部材の風船部材本体の表面に、風船部材本体の伸縮に伴って伸縮する風船指標部が形成されていることを特徴とする請求項８に記載のゴムまり部材。